(57)【要約】【課題】ユーザによる入力操作無しで、放送開始直前の裏番組の情報を画面に表示するようにして、ユーザの利便性を向上させた放送受信装置および放送表示方法を提供する。【解決手段】本発明の放送受信装置１００−１は、複数のチャンネルを有する放送信号を受信する受信部１２０と、受信部１２０において受信される複数のチャンネルを切り換えて所定のチャンネルを選択するチャンネル切換手段に対応する操作部１６０と、チャンネル、番組放送時間、番組名および番組内容説明を含む番組関連情報を取得する情報取得手段に対応する番組表解析部１７０および記憶部１５０と、前記番組関連情報と現在時刻とに基づき、受信部１２０により受信中のチャンネル以外のチャンネルで次に放送される番組の開始時刻が近付いたことを判断して、当該次に放送される番組の情報を表示部に出力するように制御する制御部２１０とを具備して成る。【選択図】図１
2008167033.tif 000002
【特許請求の範囲】
【請求項１】
複数のチャンネルを有する放送信号を受信する受信手段と、
前記受信手段において受信される複数のチャンネルを切り換えて所定のチャンネルを選択するチャンネル切換手段と、
チャンネル、番組放送時間、番組名および番組内容説明を含む番組関連情報を取得する情報取得手段と、
前記番組関連情報と現在時刻とに基づき、前記受信手段により受信中のチャンネル以外のチャンネルで次に放送される番組の開始時刻が近付いたことを判断して、当該次に放送される番組の情報を表示部に出力するように制御する制御手段と、
を具備して成ることを特徴とする放送受信装置。
【請求項２】
前記次に放送される番組の情報は、少なくとも番組名を含むことを特徴とする請求項１に記載の放送受信装置。
【請求項３】
前記表示部に対するユーザ入力に基づき、前記次に放送される番組の情報の何れか１つを選択する情報選択手段をさらに有し、
前記チャンネル切換手段は、前記受信手段により受信するチャンネルを、前記情報選択手段により選択された前記次に放送される番組の情報に対応するチャンネルに切り換えることを特徴とする請求項１または２に記載の放送受信装置。
【請求項４】
複数のチャンネルを有する放送信号を受信手段によって受信し、
前記受信手段において受信される複数のチャンネルを切り換えて所定のチャンネルを選択し、
チャンネル、番組放送時間、番組名および番組内容説明を含む番組関連情報を取得し、
前記番組関連情報と現在時刻とに基づき、前記受信手段により受信中のチャンネル以外のチャンネルで次に放送される番組の開始時刻が近付いたことを判断して、当該次に放送される番組の情報を表示部に出力するように制御する、
ことを特徴とする放送表示方法。
【請求項５】
前記次に放送される番組の情報は、少なくとも番組名を含むことを特徴とする請求項４に記載の放送表示方法。
【請求項６】
前記表示部に対するユーザ入力に基づき、前記次に放送される番組の情報の何れか１つを選択し、
前記受信手段により受信するチャンネルを、選択された前記次に放送される番組の情報に対応するチャンネルに切り換えることを特徴とする請求項４または５に記載の放送表示方法。
【発明の詳細な説明】
【技術分野】
【０００１】
本発明は、放送受信装置の画面上に、受信中のチャンネル以外のチャンネルで次に放送される番組の情報を表示する放送受信装置および放送表示方法に関するものである。
【背景技術】
【０００２】
近年、地上デジタル放送（以下、地デジという）やハイビジョン放送に対応した放送受信装置の普及に伴い、電子番組表(Electronic Program Guide；ＥＰＧ)の受信機能を備えた放送受信装置も増加している。そのような電子番組表(ＥＰＧ)の受信機能を備えた放送受信装置では、ユーザ入力（例えばリモコン送信機からの選択入力）に応じて画面上に番組表の一部を切り出して表示することによって、現在視聴中の番組の番組名や番組放送時間等の情報を表示することができる（例えば特許文献１および特許文献２を参照）。
【０００３】
【特許文献１】特開平６−１５３１０９号公報
【特許文献２】特開平１１−２６６４０８号公報
【発明の開示】
【発明が解決しようとする課題】
【０００４】
例えば、地デジの視聴中に番組表を見る場合には、図７（ａ）に示すテレビ（ＴＶ）画面から図７（ｂ）に示す番組表画面に画面を切り換える必要があり、ＴＶ画面を継続して視聴することができない。図８に示すように、ＴＶ画面に番組表から取得した番組名を重ねて表示することもできるが、その場合には、当該チャンネルにおいて現在放送中（現在視聴中）の番組の番組名だけが表示されるため、次に放送される番組がどのような番組であるかを知ることができない。また、次に放送を開始する番組の情報を表示したい場合には、ユーザによる入力操作が必要になる。上記特許文献１および上記特許文献２に記載の放送受信装置によれば、図９（ｂ）に示すような次番組開始２分前のコマーシャル（ＣＭ）中に次番組を確認するには、例えば図９（ａ）に示すような番組表画面（ＥＰＧ画面）に切り換えたり、番組を表示する画面を縮小して番組表を表示するスペースを作るなどして番組表を表示することにより次番組をユーザに確認させることが可能であるが、その場合、視聴中の番組の表示が途切れたりＴＶ画面が番組表に占拠されたりして、快適な環境で番組を視聴し続けることができなくなってしまう。
【０００５】
本発明は、ユーザによる入力操作を必要とすることなく、受信中のチャンネル以外のチャンネルで次に放送される番組の情報を画面に表示する機能を付与することにより、ユーザの利便性を向上させた放送受信装置を提供することを第１の目的とする。
本発明は、ユーザによる入力操作を必要とすることなく、受信中のチャンネル以外のチャンネルで次に放送される番組の情報を画面に表示することにより、ユーザの利便性を向上させた放送表示方法を提供することを第２の目的とする。
【課題を解決するための手段】
【０００６】
上記第１の目的を達成するため、請求項１に係る放送受信装置は、複数のチャンネルを有する放送信号を受信する受信手段と、前記受信手段において受信される複数のチャンネルを切り換えて所定のチャンネルを選択するチャンネル切換手段と、チャンネル、番組放送時間、番組名および番組内容説明を含む番組関連情報を取得する情報取得手段と、前記番組関連情報と現在時刻とに基づき、前記受信手段により受信中のチャンネル以外のチャンネルで次に放送される番組の開始時刻が近付いたことを判断して、当該次に放送される番組の情報を表示部に出力するように制御する制御手段と、を具備して成ることを特徴とする。
【０００７】
前記次に放送される番組の情報は、少なくとも番組名を含むことが、ユーザの利便性を向上させた放送受信装置を提供する上で好ましい。
【０００８】
前記表示部に対するユーザ入力に基づき、前記次に放送される番組の情報の何れか１つを選択する情報選択手段をさらに有し、前記チャンネル切換手段は、前記受信手段により受信するチャンネルを、前記情報選択手段により選択された前記次に放送される番組の情報に対応するチャンネルに切り換えることが、ユーザの利便性を向上させた放送受信装置を提供する上で好ましい。
【０００９】
上記第２の目的を達成するため、請求項４に係る放送表示方法は、複数のチャンネルを有する放送信号を受信手段によって受信し、前記受信手段において受信される複数のチャンネルを切り換えて所定のチャンネルを選択し、チャンネル、番組放送時間、番組名および番組内容説明を含む番組関連情報を取得し、前記番組関連情報と現在時刻とに基づき、前記受信手段により受信中のチャンネル以外のチャンネルで次に放送される番組の開始時刻が近付いたことを判断して、当該次に放送される番組の情報を表示部に出力するように制御する、ことを特徴とする。
【００１０】
前記次に放送される番組の情報は、少なくとも番組名を含むことが、ユーザの利便性を向上させた放送表示方法を提供する上で好ましい。
【００１１】
前記表示部に対するユーザ入力に基づき、前記次に放送される番組の情報の何れか１つを選択し、前記受信手段により受信するチャンネルを、選択された前記次に放送される番組の情報に対応するチャンネルに切り換えることが、ユーザの利便性を向上させた放送表示方法を提供する上で好ましい。
【発明の効果】
【００１２】
本発明によれば、受信中のチャンネル以外のチャンネルで次に放送される番組の情報を画面に表示するので、ユーザの利便性を向上させた放送受信装置および放送表示方法を提供することができる。
【発明を実施するための最良の形態】
【００１３】
以下、本発明を実施するための最良の形態を図面に基づき詳細に説明する。図１は本発明の第１実施形態の放送受信装置の第１の構成を示すブロック図であり、図２は本発明の第１実施形態の放送受信装置の第２の構成を示すブロック図である。
【００１４】
図１に示す放送受信装置１００−１は、受信部と表示部とが分離された構成（分離型）となっており、地デジチューナ装置や地デジ受信機能を搭載した録画装置が該当する。この放送受信装置１００−１は、アンテナ１１０と、アンテナ１１０経由で複数のチャンネルを有する放送信号を受信する受信部１２０と、受信した放送信号に基づき映像解析を行う映像解析部１３０と、受信した放送信号に基づき音声解析を行う音声解析部１４０と、受信した放送信号やデータ等を記憶する記憶部１５０と、ユーザ（視聴者）が地デジ放送等を視聴する際の各種操作に伴う入力情報を処理する操作部１６０と、受信した放送信号に基づき番組表解析を行う番組表解析部１７０と、予約録画等の時間管理を行う時間管理部１８０と、視聴する番組の映像信号を出力する映像出力部１９０と、視聴する番組の音声信号を出力する音声出力部２００と、受信部１２０、映像解析部１３０、音声解析部１４０、記憶部１５０、操作部１６０、番組表解析部１７０、時間管理部１８０、映像出力部１９０および音声出力部２００の動作を制御する制御部２１０とを具備して成る。なお、受信部１２０を複数個搭載する構成としてもよい。
【００１５】
図２に示す放送受信装置１００−２は、受信部と表示部とが一体化された構成（一体型）となっており、ワンセグメント放送（以下、ワンセグという）の受信機能を有する各種携帯端末（ワンセグ対応携帯電話機、ワンセグ対応ＰＤＡ等）が該当する。この放送受信装置１００−２は、アンテナ１１０と、アンテナ１１０経由で複数のチャンネルを有する放送信号を受信する受信部１２０と、受信した放送信号に基づき映像解析を行う映像解析部１３０と、受信した放送信号に基づき音声解析を行う音声解析部１４０と、受信した放送信号やデータ等を記憶する記憶部１５０と、ユーザ（視聴者）が地デジ放送等を視聴する際の各種操作に伴う入力情報を処理する操作部１６０と、受信した放送信号に基づき番組表解析を行う番組表解析部１７０と、予約録画等の時間管理を行う時間管理部１８０と、視聴する番組の映像表示を行う表示部１９５と、視聴する番組の音声信号を音声に変換するスピーカ２０５と、受信部１２０、映像解析部１３０、音声解析部１４０、記憶部１５０、操作部１６０、番組表解析部１７０、時間管理部１８０、表示部１９５およびスピーカ２０５の動作を制御する制御部２１０とを具備して成る。なお、受信部１２０を複数個搭載する構成としてもよい。
以下、放送受信装置１００−１および放送受信装置１００−２を包含して、放送受信装置１００として説明する。
【００１６】
次に、本実施形態の放送受信装置１００における情報表示制御を図３のフローチャートに基づいて説明する。
まず、図３のステップＳ１１では、チャンネル、番組放送時間、番組名および番組内容説明を含む番組関連情報を有する番組表一覧を定期的に、またはチャンネル切換時に取得する。番組表一覧を取得する手法としては、受信した放送信号に含まれている電子番組表（ＥＰＧ）から番組表一覧を取得する手法や、インターネット経由で番組表一覧を取得する手法を用いる。次のステップＳ１２では、現在時刻を取得する。現在時刻を取得する手法としては、例えば受信した放送信号に含まれている電子番組表（ＥＰＧ）から現在時刻を取得する手法を用いる。次のステップＳ１３では、ステップＳ１１で取得した番組表一覧に基づき、現在時刻から閾値時間以内に放送開始する他チャンネルの番組の有無を判断する。ステップＳ１３でＹＥＳ（放送開始する番組有り）ならば、次のステップＳ１４において閾値時間以内に放送開始する他チャンネルの番組の情報を番組表一覧より取得し、ステップＳ１５において閾値時間以内に放送開始する他チャンネルの番組の情報を表示するよう制御する。ステップＳ１３でＮＯ（放送開始する番組無し）ならばステップＳ１１に戻る。上記閾値時間は、例えばコマーシャル（ＣＭ）の放映時間に対応する時間である３分や５分に設定するものとする。また、上記番組の情報を表示する手法としては、後述するが、「ＴＶ画面内に番組の情報を重ねて表示する表示方法」または「ＴＶ画面の所定位置（例えば上端部）に番組の情報をスクロール表示する表示方法」を用いるものとする。
【００１７】
次のステップＳ１６では、閾値時間以内に放送開始する他チャンネルの番組の情報を表示するよう制御を開始してから一定時間（一定時間≦閾値時間）が経過したか否かを判断し、一定時間が経過するまでの間はステップＳ１７に進み、一定時間が経過したときに制御を終了する。ステップＳ１７では、上記ステップＳ１５における制御によりＴＶ画面に表示された「閾値時間以内に放送開始する他チャンネルの番組の情報」がユーザによって選択されたか否かを判断し、ＮＯ（選択されていない）ならばステップＳ１５に戻って閾値時間以内に放送開始する他チャンネルの番組の情報を表示するよう制御を続け、ＹＥＳ（選択された）ならばステップＳ１８に進んで例えば「決定ボタン」が押下されたか否かを判断する。ステップＳ１８でＮＯ（押下無し）ならばステップＳ１５に戻って閾値時間以内に放送開始する他チャンネルの番組の情報を表示するよう制御を続け、ＹＥＳ（押下あり）ならばステップＳ１９に進んで、ステップＳ１７で選択されたチャンネルへの切り換えを行う。なお、ユーザによる所望の他チャンネルの番組の情報の選択操作は、放送受信装置本体またはリモコンの「上下」キーの押下または「テンキー中の所望の他チャンネルに対応する数字キー」の押下により行うものとする。
【００１８】
次に、本実施形態の放送受信装置における情報表示制御の動作例を図面に基づいて説明する。
【００１９】
［動作例１；他チャンネルの番組の情報の表示］
図３のステップＳ１１−ステップＳ１２−ステップＳ１３のＹＥＳ−ステップＳ１４−ステップＳ１５を実行することにより、あるチャンネルの番組の視聴中に現在時刻から閾値時間以内に他チャンネルで放送開始する番組（言い換えれば、放送開始直前の裏番組）がある場合には、当該他チャンネルで放送開始する番組の情報を表示する。
例えば図４（ａ）に示すように、現在視聴中のＴＶ画面にはチャンネル３（ＣＨ３）の番組が表示されており、現在時刻が９：５９であり、上記閾値時間が３分に設定されており、ＣＨ３の番組の視聴中に現在時刻から閾値時間以内に他チャンネルで放送開始する番組が複数ある場合（図示例の場合、ＣＨ１で１０：００から放送開始する「ニュース１０」と、ＣＨ２で１０：００から放送開始する「報道」と、ＣＨ４で１０：００から放送開始する「アニメ」とがある）、図示のような「閾値時間以内に他チャンネルで放送開始する番組の情報の表示」がなされる。この番組の情報は、実際には図４（ｂ）に例示するように、ＴＶ画面の番組表示が見辛くならない程度の大きさで重ねて表示するものとし、放送受信装置１００−１のような分離型の放送受信装置であれば接続する外部表示部が大きければ図４（ｂ）のような表示が可能であるが、放送受信装置１００−２のような一体型の放送受信装置（例えばワンセグ対応携帯電話機）であれば表示領域が狭いため図４（ｂ）のような表示が困難であることを考慮して、図４（ｃ）に例示するように、ＴＶ画面の所定位置（図示例では上端部）に、番組の情報をスクロール表示させてもよい。上記スクロール表示は、「番組の情報を左方向に一定速度で連続的に移動させるスクロール表示」を用いても、「１チャンネル分の番組の情報を左方向に移動させて図示の表示位置で一定時間停止させて表示した後、次の１チャンネル分の番組の情報を左方向に移動させて図示の表示位置で一定時間停止させて表示させるスクロール表示」を用いてもよい。なお、図４（ｂ），（ｃ）のどちらの表示方法を用いるかは、「当該放送受信装置におけるＴＶ画面の表示領域に対する番組の情報の表示領域の占有率」に基づいて決定すればよい。
【００２０】
本実施形態の放送受信装置における情報表示制御の動作例１によれば、ユーザに番組表の表示のための操作のような入力操作を要求することなく、受信中のチャンネル以外のチャンネルで次に放送される番組の情報が、次に放送される番組の放送開始までの間、画面に自動的に表示されるので、ユーザの利便性を向上させた放送受信装置および放送表示方法を提供することができる。
【００２１】
［動作例２；他チャンネルの番組の情報の表示中の、所望の他チャンネルへの切換１］
図３のステップＳ１１〜ステップＳ１５−ステップＳ１６のＮＯ−ステップＳ１７のＹＥＳ−ステップＳ１８のＹＥＳ−ステップＳ１９を実行することにより、上記動作例１による「閾値時間以内に他チャンネルで放送開始する番組の情報」の表示中に、ユーザが所望の他チャンネルで次に放送開始する番組の情報を「上下キー」等により選択し、「決定ボタン」を押下した場合には、所望の他チャンネルへの切換を行う。
例えば図５（ａ）に示すように、現在、ＴＶ画面にはチャンネル３（ＣＨ３）の番組が表示されるとともに、ＣＨ３の番組の上部に図４（ａ）と同様に「閾値時間後に他チャンネルで放送開始する番組の情報」が表示されているときに、ユーザが所望の他チャンネルで次に放送開始する番組（図示例の場合、ＣＨ２の番組）の情報を「上下キー」または「テンキー中の所望の他チャンネルに対応する数字キー」の押下によって選択した場合、選択されたＣＨ２の番組の情報は図５（ａ）に斜線を付けて示すような選択状態（色が変わった状態）になる。この選択状態において、ユーザが「決定ボタン」を押下した場合には、現在のチャンネル（図示例の場合、ＣＨ３）から所望の他チャンネルであるＣＨ２への切換を行う。なお、図５（ｂ）に例示するように、「閾値時間後に他チャンネルで放送開始する番組」が１つしか無い場合には、所望の他チャンネルの選択が不要であるので、ユーザが「決定ボタン」を押下するだけで、現在のチャンネル（図示例の場合、ＣＨ３）から所望の他チャンネルであるＣＨ４への切換を行う。
【００２２】
本実施形態の放送受信装置における情報表示制御の動作例２によれば、他チャンネルで次に放送される番組の情報の表示中に、ユーザが所望の他チャンネルの選択および「決定ボタン」の押下を行うだけで、所望の他チャンネルへの切換が行われるので、ユーザの利便性を向上させた放送受信装置および放送表示方法を提供することができる。
【００２３】
［動作例３；他チャンネルの番組の情報の表示中の、所望の他チャンネルへの切換２］
図３のステップＳ１１〜ステップＳ１５−ステップＳ１６のＮＯ−ステップＳ１７のＹＥＳ−ステップＳ１８のＹＥＳ−ステップＳ１９を実行することにより、上記動作例１による「閾値時間以内に他チャンネルで放送開始する番組の情報」の表示が図４（ｃ）に示すスクロール表示で行われている場合に、ユーザが、所望の他チャンネルで次に放送開始する番組の情報がスクロール表示されてきたときに「決定ボタン」を押下した場合には、所望の他チャンネルへの切換を行う。
例えば図６（ａ）に示すように、現在、ＴＶ画面にはチャンネル３（ＣＨ３）の番組が表示されるとともに、ＣＨ３の番組の上部に図４（ｃ）と同様に「閾値時間後に他チャンネルで放送開始する番組の情報」のスクロール表示が行われている場合に、ユーザが「決定ボタン」を押下した場合には、図６（ａ）に示す現在のチャンネル（図示例の場合、ＣＨ３）から図６（ｂ）に示す所望の他チャンネルであるＣＨ２への切換を行う。その際、図６（ｂ）に示すように、ＣＨ２の番組の上部には、ＣＨ２の番組の情報である、チャンネル（ＣＨ２）および番組名（報道）が一定時間（例えば放送開始までの間）表示される。
【００２４】
本実施形態の放送受信装置における情報表示制御の動作例３によれば、他チャンネルで次に放送される番組の情報のスクロール表示中に、ユーザが「決定ボタン」の押下を行うだけで、所望の他チャンネルへの切換が行われるので、ユーザの利便性を向上させた放送受信装置および放送表示方法を提供することができる。
【００２５】
なお、上記においては、他チャンネルで次に放送開始する番組の情報として、チャンネル、番組放送時間および番組名を表示する例を示したが、他チャンネルで次に放送開始する番組の情報として、番組名だけを表示するようにしたり、あるいは、他チャンネルで次に放送開始する番組の情報として、チャンネル、番組放送時間、番組名および番組内容説明を表示するようにしてもよい。
【図面の簡単な説明】
【００２６】
【図１】本発明の第１実施形態の放送受信装置の第１の構成を示すブロック図である
【図２】本発明の第１実施形態の放送受信装置の第２の構成を示すブロック図である。
【図３】第１実施形態の放送受信装置における情報表示制御を示すフローチャートである。
【図４】（ａ）〜（ｃ）は第１実施形態の放送受信装置における情報表示制御の動作例１を説明するための図である。
【図５】（ａ），（ｂ）は第１実施形態の放送受信装置における情報表示制御の動作例２を説明するための図である。
【図６】（ａ），（ｂ）は第１実施形態の放送受信装置における情報表示制御の動作例３を説明するための図である。
【図７】（ａ），（ｂ）は従来の放送受信装置における番組表の表示のための表示切換動作を説明するための図である。
【図８】従来の放送受信装置における番組名の表示状態を説明するための図である。
【図９】（ａ），（ｂ）は従来の放送受信装置における番組表の表示のための表示切換動作を説明するための図である。
【符号の説明】
【００２７】
１００，１００−１，１００−２  放送受信装置
１１０  アンテナ
１２０  受信部
１３０  映像解析部
１４０  音声解析部
１５０  記憶部
１６０  操作部
１７０  番組表解析部
１８０  時間管理部
１９０  映像出力部
１９５  表示部  
２００  音声出力部
２０５  スピーカ
２１０  制御部
【図１】
2008167033.tif 000003
【図２】
2008167033.tif 000004
【図３】
2008167033.tif 000005
【図４】
2008167033.tif 000006
【図５】
2008167033.tif 000007
【図６】
2008167033.tif 000008
【図７】
2008167033.tif 000009
【図８】
2008167033.tif 000010
【図９】
2008167033.tif 000011